(57)【要約】      （修正有）【課題】動物、昆虫、鳥、魚、植物、物、機械、乗物、ロボット、人形、人間、キャラクターなどの絵を表示し、リアル感や立体感や可愛らしさをアピールすることができるティーシャツ等の衣類を提供する。【解決手段】衣類本体１の表面に表示対象の正面絵２を表示し、裏面に表示対象の背面絵３を表示し、表示対象の突出部分である尾や触角６や角や羽根７などを模した模擬体４を、突出部分の付根のある面の絵に装着固定することを特徴とする。模擬体４を装着した面の絵には模擬体４が模した突出部分の絵を表示せず、模擬体４を装着した反対の面の絵には模擬体４が模した突出部分が見えている場合は突出部分を表示する。【選択図】図１１
0003146312.tif 000002
【実用新案登録請求の範囲】
【請求項１】
動物、昆虫、鳥、魚、植物、物、機械、乗物、ロボット、人形、人間、キャラクターなど（以後、表示対象と呼ぶ。）の絵が表示されたティーシャツ等の衣類において、衣類本体と、表示対象を正面から見た絵が前記衣類本体の表面に表示された正面絵と、表示対象を背面から見た絵が前記衣類本体の裏面に表示された背面絵と、表示対象の有する尾や触角や角や羽根などの突出部分の少なくとも一つ以上の突出部分を模した模擬体を有しており、尾や触角や角や羽根などの突出部分を模した前記模擬体を表示対象の絵における突出部分付根に当たる位置の衣類本体に装着固定して衣類本体から突出させ、前記模擬体を装着固定した面の絵には該模擬体があらわしている突出部分の絵を表示しておらず、前記模擬体を装着固定した面と反対側の面の絵には該模擬体があらわす突出部分があらわれている場合は該突出部分の絵を表示していることを特徴とする衣類。
【請求項２】
前記模擬体が付根を支点に揺動自在であることを特徴とする請求項１記載の衣類。
【請求項３】
前記模擬体が、毛皮、ひも状、袋状、布状、帯状、網状、ボンボン状、房状又は毛束状であることを特徴とする請求項１又は２記載の衣類。
【請求項４】
前記模擬体の付根と衣類本体側に、ボタン、ホック、フック、面ファスナー、ファスナー等の係止具が設けられ、模擬体と衣類本体の装着固定が着脱自在であることを特徴とする請求項１、２又は３記載の衣類。
【考案の詳細な説明】
【技術分野】
【０００１】
この考案は、ティーシャツ等の衣類に関するものである。
【背景技術】
【０００２】
従来、ティーシャツ等の衣類において、スポンジやウレタンやフィルム等を用いて、絵柄に膨らみをもたせ、立体感をだしたものが知られている（登録実用新案第３０３１８４５号参照。）。
【特許文献１】登録実用新案第３０３１８４５号
【考案の開示】
【考案が解決しようとする課題】
【０００３】
上記した従来技術である登録実用新案第３０３１８４５号公報の衣類は、ワッペンのような小さい絵柄に膨らみをもたせる技術であり、もし、衣類の大柄の絵柄を膨らませると、衣類に大きな異物を貼り付けた状態となり、衣類としての用をなさなくなってしまう。絵柄は衣類の表面に装着するだけなので、正面からは見えるが、側面と背面からは見ることができない。この絵柄を衣類の表と裏に装着すると、衣類の前後の伸縮性を奪ってしまう。ウレタンやフィルム等を使用しているため、装着している範囲の通気性を完全に阻害している。また、絵柄を膨らませても、絵柄の立体感及びリアル感を十分に表現したり可愛らしさをアピールしたりすることはできない。また、絵柄に動きがないので、単調であり、人目を大きく引くことはできない。
【０００４】
本考案は、上記した従来の問題点を解決するための衣類を提供することを目的とする。
【課題を解決するための手段】
【０００５】
上記目的を達成するため、請求項１記載の衣類は、動物、昆虫、鳥、魚、植物、物、機械、乗物、ロボット、人形、人間、キャラクターなど（以後、表示対象と呼ぶ。）の絵が表示されたティーシャツ等の衣類において、衣類本体と、表示対象を正面から見た絵が前記衣類本体の表面に表示された正面絵と、表示対象を背面から見た絵が前記衣類本体の裏面に表示された背面絵と、表示対象の有する尾や触角や角や羽根などの突出部分の少なくとも一つ以上の突出部分を模した模擬体を有しており、尾や触角や角や羽根などの突出部分を模した前記模擬体を表示対象の絵における突出部分付根に当たる位置の衣類本体に装着固定して衣類本体から突出させ、前記模擬体を装着固定した面の絵には該模擬体があらわしている突出部分の絵を表示しておらず、前記模擬体を装着固定した面と反対側の面の絵には該模擬体があらわす突出部分があらわれている場合は該突出部分の絵を表示していることを特徴とする。
【０００６】
また、請求項２記載の衣類は、前記請求項１記載の衣類において、前記模擬体が付根を支点に揺動自在であることを特徴とする。
【０００７】
また、請求項３記載の衣類は、前記請求項１又は２記載の衣類において、前記模擬体が、毛皮、ひも状、袋状、布状、帯状、網状、ボンボン状、房状又は毛束状であることを特徴とする。
【０００８】
また、請求項４記載の衣類は、前記請求項１、２又は３記載の衣類において、前記模擬体の付根と衣類本体側に、ボタン、ホック、フック、面ファスナー、ファスナー等の係止具が設けられ、模擬体と衣類本体の装着固定が着脱自在であることを特徴とする。
【０００９】
上記表示対象は、動物、昆虫、鳥、魚、植物、物、機械、乗物、ロボット、人形、人間、キャラクターに限定されておらず、これ以外でもよい。上記突出部分は、尾や触角や角や羽根に限定されておらず、これ以外も含まれる。突出部分の少なくとも一つ以上の突出部分を模した模擬体を有し、どの突出部分を模擬体とするか幾つの突出部分を模擬体とするかは自由である。突出部分は、正面絵側に付根を有するものと、背面絵側に付根を有するものがある。突出部分の模擬体の付根が正面絵にある場合は、正面絵にはこの突出部分を表示せず、模擬体を正面絵に装着固定し、背面絵にこの突出部分があらわれている場合は背面絵にこの突出部分を表示する。突出部分の模擬体の付根が背面絵にある場合は、背面絵にはこの突出部分を表示せず、模擬体を背面絵に装着固定し、正面絵にこの突出部分があらわれている場合は正面絵にこの突出部分を表示する。突出部分の模擬体を衣類本体に着脱自在に装着固定するために設ける係止具は、ボタン、ホック、フック、面ファスナー、ファスナー以外であってもよい。
【考案の効果】
【００１０】
上記の衣類によれば、以下のような効果が得られる。衣類に表示する絵は大きくも小さくもできる。衣類のほぼ全面ちかい大きさに表示することもできる。表示対象（動物、昆虫、鳥、魚、植物、物、機械、乗物、ロボット、人形、人間、キャラクターなど。）の絵を衣類本体の正面と背面に表示し、さらに、表示対象の突出部分（尾や触角や角や羽根など。）の模擬体を衣類本体から突出させるので、前後左右のどこからでも見ることができる。突出部分の模擬体を衣類に装着固定しても、従来技術のようにビニールやフィルムやウレタンなどで表面を密封するわけではないので、衣類の伸縮性や通気性などの機能性にたいする悪影響がない。衣類本体の表面と裏面の両面に表示対象の絵があることと、表示対象の突出部分を模した模擬体が絵の突出部分の付根にあたる部分から実際に突出しているので、非常に優れた立体感を表現することができる。３６０度どの方向からでも絵が見え、正面に付根があって突出している突出部分の模擬体は正面絵とあいまって奥行きのある立体感を見る者に与え、背面に付根があって突出している突出部分の模擬体は背面絵とあいまって奥行きのある立体感を見る者に与える。また、背面に模擬体があって正面絵に絵で表示された突出部分がある場合、正面から見ると突出部分が奥のほうにあるような遠近感を見る者に与え、視点が変化して背面から見たときは突出部分の模擬体が大きくクローズアップしたような立体感を見る者に与える。背面から正面へ視点が移動したときはこの逆になる。また、正面に模擬体があって背面絵に絵で表示された突出部分がある場合、背面から見ると突出部分が奥のほうにあるような遠近感を見る者に与え、視点が変化して正面から見たときは突出部分の模擬体が大きくクローズアップしたような立体感を見る者に与える。正面から背面へ視点が移動したときはこの逆になる。突出部分の模擬体は付根を支点に自然に揺動するので、人間の動きに伴う衣類本体の絵の動きと模擬体の動きが重なってさまざまな表情をみせるため、見ていて飽きが来ない。衣類の表示対象の絵から突出している突出部分の模擬体はインパクトがあり人目を大きく引く。尾を振る犬や猫、触角や羽根を動かす昆虫など、表示対象の絵から模擬体が突出して揺動する様子は、立体感やリアル感や可愛らしさなど、好印象を与える。係止具を設けて模擬体と衣類本体の装着固定を着脱自在とすることにより、クリーニングや保管の便に役立てることができる。これらの効果は、突出部分の模擬体が衣類本体の正面にだけある場合でも、背面にだけある場合でも、両面にある場合でも、同様である。
【考案を実施するための最良の形態】
【００１１】
以下、添付図面に基づき本考案に係わる衣類について説明するが、本考案は以下の形態にのみ限定されるべきものではないことはいうまでもない。
【００１２】
図１、図２、図３、図４、図５は、表示対象が犬で突出部分の模擬体４が背面の尾５である衣類の実施形態をあらわしている。衣類本体１はティーシャツである。衣類本体１の表面には、犬の全身を正面から見た正面絵２が表示されている。衣類本体１の裏面には、犬の全身を背面から見た背面絵３が表示されている。背面絵３には背面に付根のある犬の突出部分である尾が表示されていない。背面絵３の犬の尾の付根にあたる尻部分に、尾を模した模擬体４の尾５が装着固定されている。模擬体４の尾５は衣類本体１の背面絵３から突出している。この衣類を着て歩くと、模擬体４の尾５は自然に揺動する。
【００１３】
図６、図７、図８、図９、図１０、図１１は、表示対象がハチのキャラクターで突出部分の模擬体が正面の２本の触角と背面の２枚の羽根である衣類の実施形態をあらわしている。衣類本体１はティーシャツである。衣類本体１の表面には、ハチの全身を正面から見た正面絵２が表示されている。正面絵２には正面に付根のあるハチの突出部分である触角が表示されていない。衣類本体１の裏面には、ハチの全身を背面から見た背面絵３が表示されている。背面絵３には背面に付根のあるハチの突出部分である羽根が表示されていない。正面絵２のハチの触角の付根にあたる頭部分に、触角を模した模擬体４の２本の触角６が装着固定されている。模擬体４の２本の触角６は衣類本体１の正面絵２から突出している。模擬体４の触角６が装着固定された反対の面である背面絵３には触角の絵が表示されている。背面絵３のハチの羽根の付根にあたる背中部分に、羽根を模した模擬体４の２枚の羽根７が装着固定されている。模擬体４の２本の羽根７は衣類本体１の背面絵３から突出している。模擬体４の羽根７が装着固定された反対の面である正面絵２には羽根の絵が表示されている。この衣類を着て歩くと、模擬体４の触角６と羽根７は自然に揺動する。
【００１４】
模擬体４は、毛皮状（図１２（Ａ）参照。）、ひも状（図１２（Ｆ）参照。）、袋状（図１２（Ｃ）参照。）、布状、帯状（図１２（Ｅ）参照。）、網状、ボンボン状（図１２（Ｄ）参照。）、房状（図１２（Ｂ）参照。）、毛束状、その他の形状であっても構わない。前記した犬の尾５は毛皮状である。前記したハチの触角６はひも状、羽根７は布状である。模擬体４の装着固定方法は限定しないが、模擬体４の付根を衣服本体１に縫付けてもよいし、模擬体４の付根と衣類本体１側に、ボタン、ホック、フック、面ファスナー、ファスナー等の係止具を設けて、模擬体と衣類本体の装着固定を着脱自在としてもよい。
【図面の簡単な説明】
【００１５】
【図１】この考案の一実施形態を示し、犬の正面からの絵を表示した正面図である。
【図２】この考案の一実施形態を示し、尾を表示しない犬の背面からの絵を表示した背面図である。
【図３】この考案の一実施形態を示し、図２の犬の絵の尻部分に尾を模した模擬体を装着固定した状態を示す背面図である。
【図４】この考案の一実施形態を示し、表面に犬の正面からの絵を表示し裏面に犬の背面からの絵を表示した側面図である。
【図５】この考案の一実施形態を示し、図４の犬の絵の尻部分に尾を模した模擬体を装着固定した状態を示す側面図である。
【図６】この考案の一実施形態を示し、触角を表示しないハチのキャラクターの正面からの絵を表示した正面図である。
【図７】この考案の一実施形態を示し、図６のハチの絵の頭部分に細長い２本の触角を模した模擬体を装着固定した状態を示す正面図である。
【図８】この考案の一実施形態を示し、羽根を表示しないハチのキャラクターの背面からの絵を表示した背面図である。
【図９】この考案の一実施形態を示し、図８のハチの絵の背中部分に２枚の羽根を模した模擬体を装着固定した状態を示す背面図である。
【図１０】この考案の一実施形態を示し、表面にハチの正面からの絵を表示し裏面にハチの背面からの絵を表示した側面図である。
【図１１】この考案の一実施形態を示し、図１０のハチの絵の正面の頭部分に細長い２本の触角を模した模擬体を装着固定し背面の背中部分に２枚の羽根を模した模擬体を装着固定した状態を示す側面図である。
【図１２】模擬体の各種形状を示し、（Ａ）は毛皮、（Ｂ）は房状、（Ｃ）は袋状、（Ｄ）はボンボン状、（Ｅ）は帯状、（Ｆ）はひも状を示す側面図である。
【符号の説明】
【００１６】
１    衣類本体
２    正面絵
３    背面絵
４    模擬体
５    尾
６    触角
７    羽根
【図１】
0003146312.tif 000003
【図２】
0003146312.tif 000004
【図３】
0003146312.tif 000005
【図４】
0003146312.tif 000006
【図５】
0003146312.tif 000007
【図６】
0003146312.tif 000008
【図７】
0003146312.tif 000009
【図８】
0003146312.tif 000010
【図９】
0003146312.tif 000011
【図１０】
0003146312.tif 000012
【図１１】
0003146312.tif 000013
【図１２】
0003146312.tif 000014